(57)【要約】【課題】携帯性に優れており、長時間使用可能な表示装置を提供すること。【解決手段】表示装置１００は、表示部１０１と、発光状態検出部１０２と、設定部１０３とを備えている。表示部１０１は、映像を表示する表示画面を有する。また、発光状態検出部１０２は、表示画面の画素の発光状態を検出する。設定部１０３は、発光状態検出部１０２によって検出された検出結果に基づいて、画素を、映像を表示する表示モードまたは光電変換により充電する充電モードのうちいずれか一方のモードに設定する。【選択図】図１
2007108612.tif 000002
【特許請求の範囲】
【請求項１】
表示画面を有する表示手段と、
前記表示画面の画素の発光状態を検出する発光状態検出手段と、
前記発光状態検出手段によって検出された検出結果に基づいて、前記画素を、表示モードまたは充電モードのうちいずれか一方のモードに設定する設定手段と、
を備えることを特徴とする表示装置。
【請求項２】
前記発光状態検出手段は、
前記画素に表示させる画像データから前記画素が発光状態か非発光状態かを検出することを特徴とする請求項１に記載の表示装置。
【請求項３】
前記設定手段は、
前記発光状態検出手段によって前記画素が非発光状態と検出された場合、前記画素を前記充電モードに設定することを特徴とする請求項１または２に記載の表示装置。
【請求項４】
前記表示装置の蓄電量を検出する蓄電量検出手段を備え、
前記設定手段は、
前記蓄電量検出手段によって検出された蓄電量に基づいて、前記画素を前記表示モードまたは前記充電モードのうちいずれか一方のモードに設定することを特徴とする請求項１に記載の表示装置。
【請求項５】
前記発光状態検出手段は、
前記画像データが黒を示すとき、前記画素を非発光状態と検出することを特徴とする請求項２に記載の表示装置。
【請求項６】
画像データを読み込む読込手段と、
前記読込手段によって読み込んだ画像データに基づいて、表示画面に表示する画素の中から発光させる画素と発光させない画素を特定する特定手段と、
前記特定手段によって特定された特定結果に基づいて、前記画素を、表示モードまたは充電モードのうちいずれか一方のモードに設定する設定手段と、
を備えることを特徴とする表示装置。
【請求項７】
表示画面の画素の発光状態を検出する発光状態検出工程と、
前記発光状態検出工程によって検出された検出結果に基づいて、前記画素を、表示モードまたは充電モードのうちいずれか一方のモードに設定する設定工程と、
を含んだことを特徴とする表示方法。
【請求項８】
画像データを読み込む読込工程と、
前記読込工程によって読み込んだ画像データに基づいて、表示画面に表示する画素の中から発光させる画素と発光させない画素を特定する特定工程と、
前記特定工程によって特定された特定結果に基づいて、前記画素を、表示モードまたは充電モードのうちいずれか一方のモードに設定する設定工程と、
を含んだことを特徴とする表示方法。
【請求項９】
請求項７または８に記載の表示方法をコンピュータに実行させることを特徴とする表示プログラム。
【請求項１０】
請求項９に記載の表示プログラムを記録したことを特徴とするコンピュータに読み取り可能な記録媒体。
【発明の詳細な説明】
【技術分野】
【０００１】
この発明は、映像を表示する表示装置、表示方法、表示プログラム、および記録媒体に関する。しかし、この発明は、上述した表示装置、表示方法、表示プログラム、および記録媒体に限らない。
【背景技術】
【０００２】
従来、電池駆動される小型・携帯型などの表示装置に置いては、光源発光の発熱に関し、つぎの二つの課題が存在する。１．光源発光に伴う発熱によるエネルギーロスの削減と、熱エネルギーの有効利用によるエネルギー利用効率の向上。２．効率的かつ省スペース化を図ることのできる冷却システムの実現。これらの課題を解決するため、熱−電気変換効果および電気−熱変換効果を有する熱電変換素子と、光源もしくは光源周辺の温度を測定検知する温度検知手段と、該温度検知手段からの温度情報に基づいて、前記熱電変換素子の機能を熱−電気変換発電機能と電気−熱変換電子冷却機能とのいずれかに切り換える熱電変換素子機能切り換え制御手段とを備えている表示装置が知られている（たとえば、下記特許文献１参照。）。
【０００３】
また、自発発光が可能な新しいタイプの発光体が提供されている。この発光体は、可撓性を有し、シート状をなしている。発光体は、発電をおこなう層状の圧電素子と、かかる圧電素子に絶縁層を介して積層され、発光する層状の有機ＥＬ素子と、第１保護層と第２保護層とで構成され、圧電素子および有機ＥＬ素子などを防水する防水手段と、圧電素子と有機ＥＬ素子とを電気的に接続する配線とを有している。この発光体は、被着体に貼着されて使用される。そして、被着体が動いて圧電素子が変形したり、圧電素子に振動が加わったりすると、圧電素子は、発電をおこなう。この圧電素子で発電された電気によって、有機ＥＬ素子が発光する（たとえば、下記特許文献２参照。）。
【０００４】
また、低消費電力である、有機エレクトロルミネッセンス発光表示装置が提供されている。この有機エレクトロルミネッセンス発光表示装置は、透明用電極層、透明有機発光材料層そして透明陰電極層からなる透明有機エレクトロルミネッセンス発光素子が複数個、透明基板の一方の表面にパターン上に配置されてなり、そして透明基板の他方の表面には太陽電池が配置され、該太陽電池と有機エレクトロルミネッセンス発光素子とが電気的に接続されてなることを特徴とする（たとえば、下記特許文献３参照。）。
【０００５】
【特許文献１】特開２００４−３６１５５３号公報
【特許文献２】特開２００２−６３８０１号公報
【特許文献３】特開２００２−６７６９号公報
【発明の開示】
【発明が解決しようとする課題】
【０００６】
しかしながら、上述した特許文献１または３に記載の従来技術では、表示装置が発電をするために、表示パネルの他に発電機能を有する発電回路を別に設けている。そのため、表示装置自体が必要以上に大型化してしまうという問題点が一例として挙げられる。また、大型化により携帯性が損なわれるという問題点が一例として挙げられる。
【０００７】
また、上述した特許文献２に記載の従来技術では、表示装置内に圧電素子などの別部品を内蔵させているため、部品点数が増大してしまう。そのため、コストが増大するという問題点が一例として挙げられる。また、発電機能を備えない構成とすると、充電池のみで表示装置の消費電力を賄わなければならない。そのため、表示装置の使用時間に限界があるという問題点が一例として挙げられる。
【課題を解決するための手段】
【０００８】
上述した課題を解決し、目的を達成するため、請求項１の発明にかかる表示装置は、表示画面を有する表示手段と、前記表示画面の画素の発光状態を検出する発光状態検出手段と、前記発光状態検出手段によって検出された検出結果に基づいて、前記画素を、表示モードまたは充電モードのうちいずれか一方のモードに設定する設定手段と、を備えることを特徴とする。
【０００９】
また、請求項６の発明にかかる表示装置は、画像データを読み込む読込手段と、前記読込手段によって読み込んだ画像データに基づいて、表示画面に表示する画素の中から発光させる画素と発光させない画素を特定する特定手段と、前記特定手段によって特定された特定結果に基づいて、前記画素を、表示モードまたは充電モードのうちいずれか一方のモードに設定する設定手段と、を備えることを特徴とする。
【００１０】
また、請求項７の発明にかかる表示方法は、表示画面の画素の発光状態を検出する発光状態検出工程と、前記発光状態検出工程によって検出された検出結果に基づいて、前記画素を、表示モードまたは充電モードのうちいずれか一方のモードに設定する設定工程と、を含んだことを特徴とする。
【００１１】
また、請求項８の発明にかかる表示方法は、画像データを読み込む読込工程と、前記読込工程によって読み込んだ画像データに基づいて、表示画面に表示する画素の中から発光させる画素と発光させない画素を特定する特定工程と、前記特定工程によって特定された特定結果に基づいて、前記画素を、表示モードまたは充電モードのうちいずれか一方のモードに設定する設定工程と、を含んだことを特徴とする。
【００１２】
また、請求項９の発明にかかる表示プログラムは、請求項７または８に記載の表示方法をコンピュータに実行させることを特徴とする。
【００１３】
また、請求項１０の発明にかかる記録媒体は、請求項９に記載の表示プログラムを記録したコンピュータに読み取り可能なことを特徴とする。
【発明を実施するための最良の形態】
【００１４】
以下に添付図面を参照して、この発明にかかる表示装置、表示方法、表示プログラム、および記録媒体の好適な実施の形態を詳細に説明する。
【００１５】
（実施の形態１）
（表示装置の機能的構成）
まず、この発明の実施の形態１にかかる表示装置の機能的構成について説明する。図１は、この発明の実施の形態１にかかる表示装置の機能的構成の一例について示す説明図である。図１において、表示装置１００は、表示部１０１と、発光状態検出部１０２と、設定部１０３と、蓄電量検出部１０４と、により構成されている。
【００１６】
表示部１０１は、映像（画像データだけでなく、単なる文字や数字などのテキストデータを表示することも含む）を表示する表示画面を有する。表示画面には、自発光素子を用いることができる。具体的には、たとえば、有機ＥＬ（Ｅｌｅｃｔｒｏ  Ｌｕｍｉｎｅｓｃｅｎｃｅ）素子が挙げられる。また、表示画面の各画素は、太陽光などの光を受光して、光電変換をおこなう機能を有している。
【００１７】
発光状態検出部１０２は、表示画面の画素の発光状態を検出する。発光状態とは、画素が発光していることである。また、発光している画素の色の階調を検出してもよい。ここで、階調とは、表示画面に表示されている映像の色の変化の度合いを示す数値である。発光状態の検出は、たとえば画素に印加されている電圧の値から画素の発光状態を検出する。
【００１８】
また、発光状態検出部１０２は、画素に表示させる画像データから画素が発光状態か非発光状態かを検出する。画像データは、たとえば、表示装置１００に備えられた、図示しないメモリ、あるいはＨＤ（Ｈａｒｄ  Ｄｉｓｋ）、ＣＤ（Ｃｏｍｐａｃｔ  Ｄｉｓｋ）、ＭＯなどの外部に備え付けられた記憶手段に記録されている。また、非発光状態とは、有機ＥＬ素子であれば画素に電流が流されていない場合である。具体的には、たとえば画素データが黒として表示される場合である。
【００１９】
設定部１０３は、発光状態検出部１０２によって検出された検出結果に基づいて、画素を、表示モードまたは充電モードのうちいずれか一方のモードに設定する。充電は、たとえば光電変換によりおこなう。ここで、光電変換とは、光を電気エネルギーに変換することである。設定部１０３は、画素が発光状態と検出された場合には、表示モードに設定する。一方、画素が非発光状態と検出された場合には、充電モードに設定する。
【００２０】
表示モードまたは充電モードの設定は、表示装置１００の内部において画素に接続されている表示回路あるいは充電回路を切り換えることにより一方のモードに設定する。表示モードに設定された画素は、表示画面に映像を表示する。
【００２１】
また、充電モードに設定された画素は、太陽光などの光を受光し、光電変換された電気エネルギーによって表示装置１００の充電をおこなう。また、光電変換された電気エネルギーを充電せずに、そのまま表示装置１００の電源として使用する構成としてもよい。
【００２２】
また、蓄電量検出部１０４は、表示装置１００の蓄電量を検知する。たとえば、表示装置１００が蓄電できる最大の量（以下、「全蓄電量」という。）に対する現在の蓄電量の割合を検知する。
【００２３】
また、設定部１０３は、蓄電量検出部１０４によって検出された蓄電量に基づいて、画素を表示モードまたは充電モードのうちいずれか一方のモードに設定する。たとえば、蓄電量が所定の量よりも少ない場合に、表示モードに設定されている画素の一部を充電モードに設定し、充電をおこなう。
【００２４】
具体的には、たとえば、蓄電量が、全蓄電量の１／１０よりも少なくなった場合、表示画面の全表示画素の１／４を充電モードに設定する。この充電モードに設定された画素を用いて充電をおこない、残りの画素により映像の表示をおこなうことができる。つまり、映像を表示するための表示エリアを強制的に狭くし、残りの表示画面をあたかも太陽電池のごとく使うのである。
【００２５】
（表示装置の表示処理手順）
つぎに、この発明の実施の形態１にかかる表示装置１００の表示処理手順について説明する。図２は、この発明の実施の形態１にかかる表示装置の表示処理手順の一例について示すフローチャートである。
【００２６】
図２のフローチャートにおいて、まず表示装置１００は、映像を表示する（ステップＳ２０１）。つぎに、画素の発光状態が検出されたかを判断する（ステップＳ２０２）。画素の発光状態が検出された場合（ステップＳ２０２：Ｙｅｓ）、画素を表示モードに設定する（ステップＳ２０３）。これにより、一連の処理を終了する。一方、ステップＳ２０２において、発光状態が検出されなかった場合（ステップＳ２０２：Ｎｏ）、画素を充電モードに設定する（ステップＳ２０４）。これにより、一連の処理を終了する。
【００２７】
以上説明したように、実施の形態１によれば、表示画面の画素が発光画素であるか、非発光画素であるかを検出し、それぞれの画素を表示モードあるいは充電モードに設定することができる。そのため、表示装置の使用中であっても、表示画面の非発光画素により受光して充電をおこなうことができる。
【００２８】
（実施の形態２）
（表示装置の機能的構成）
つぎに、この発明の実施の形態２にかかる表示装置の機能的構成について説明する。実施の形態１では、映像を表示画面に表示してから画素の発光状態を検出したが、実施の形態２では、画像データを読み込んで表示画面に表示する前に発光画素、非発光画素を特定する例について説明する。図３は、この発明の実施の形態２にかかる表示装置の機能的構成の一例について示す説明図である。図３において、表示装置３００は、読込部３０１と、特定部３０２と、設定部３０３と、により構成されている。
【００２９】
読込部３０１は、画像データを読み込む。画像データの読み込みは、たとえば、図示しない表示装置３００に備えられたメモリ、あるいはＨＤ（Ｈａｒｄ  Ｄｉｓｋ）、ＣＤ（Ｃｏｍｐａｃｔ  Ｄｉｓｋ）、ＭＯなどの外部に備え付けられた記憶手段に記録されている画像データを読みとる。また、たとえば、通信手段を用いて、画像データを受信し、受信した画像データを読み取る構成としてよい。
【００３０】
特定部３０２は、読込部３０１によって読み込んだ画像データに基づいて、表示画面に表示する画素の中から発光させる画素と発光させない画素を特定する。ここで、発光させない画素とは、読み込んだ画像データの黒データの部分である。また、画像データの大きさが小さいために、画像の表示に使用しない画素も含む。また、完全な黒データではなく、実質的に黒に近い色、例えば濃い灰色または濃い紫など、色データが所定基準を超えた画素データを黒データと判断してもよい。有機ＥＬ素子では、画素データに流す電流をゼロにすると発光せず視覚的に黒く見えるので、画素データの色データで判断するのではなく、画素に流す電流量により発光画素か否かを判断してもよい。
【００３１】
設定部３０３は、特定部３０２によって特定された特定結果に基づいて、画素を、表示モードまたは充電モードのうちいずれか一方のモードに設定する。たとえば、特定部３０２によって、発光させる画素と特定された場合には、表示モードに設定される。表示モードに設定された画素には、データ（電圧値または電流量）が送出される。この送出されたデータによって画素が発光する。
【００３２】
また、発光させない画素と特定された場合には、画素は充電モードに設定される。充電モードに設定された画素は、太陽光などの光を受光し、光電変換された電気エネルギーによって表示装置３００の充電をおこなう。また、光電変換された電気エネルギーを充電せずに、そのまま表示装置３００の電源として使用する構成としてもよい。
【００３３】
（表示装置の表示処理手順）
つぎに、この発明の実施の形態２にかかる表示装置の表示処理手順について説明する。図４は、この発明の実施の形態２にかかる表示装置の表示処理手順の一例について示すフローチャートである。
【００３４】
図４のフローチャートにおいて、まず、表示装置３００は、画像データが読み込まれたかを判断する（ステップＳ４０１）。そして、読み込まれるのを待って、読み込まれた場合（ステップＳ４０１：Ｙｅｓ）、発光させる画素と発光させない画素を特定する（ステップＳ４０２）。
【００３５】
つぎに、ステップＳ４０２において、特定された画素が発光させる画素かを判断する（ステップＳ４０３）。発光させる画素の場合（ステップＳ４０３：Ｙｅｓ）、画素を表示モードに設定する（ステップＳ４０４）。これにより、一連の処理を終了する。一方、ステップＳ４０３において、発光させる画素でない場合（ステップＳ４０３：Ｎｏ）、画素を充電モードに設定する（ステップＳ４０５）。これにより、一連の処理を終了する。
【００３６】
以上説明したように、実施の形態２によれば、画像データを読み込んで発光させる画素と発光させない画素を特定し、それぞれの画素を表示モードあるいは充電モードに設定することができる。そのため、表示装置の使用中であっても、表示画面の非発光画素により受光して充電をおこなうことができる。
【実施例１】
【００３７】
（表示装置のハードウェア構成）
つぎに、この発明の実施の形態１にかかる表示装置１００の一実施例について説明する。図５は、表示装置１００のハードウェア構成の一例を示す説明図である。図５において、表示装置１００は、ＣＰＵ５０１と、メモリ５０２と、表示パネル５０３と、表示回路５０４と、充電回路５０５と、充電器５０６と、インターフェース５０７と、操作部５０８と、により構成されている。
【００３８】
まず、ＣＰＵ５０１は、表示装置１００の全体の制御を司る。メモリ５０２は、ＲＯＭＲＡＭなどの機能を備えている。メモリ５０２は、ブートプログラム、表示プログラム、音声生成プログラム、などのプログラムを記録している。また、音声生成プログラムは、パターンに対応したトーンと音声の情報をＣＰＵ５０１に生成させる。すなわち、表示装置の表示内容に対応した仮想音源の設定と音声ガイダンス情報の生成をおこない、ＣＰＵ５０１を介してインターフェース５０７へ出力する。
【００３９】
表示プログラムは、映像を表示する表示画面の画素５１１の発光状態を検出して、検出された検出結果に基づいて、画素５１１を、映像を表示する表示モードまたは光電変換により充電する充電モードのうちいずれか一方のモードにＣＰＵ５０１に設定させる。また、メモリ５０２は、ＣＰＵ５０１のワークエリアとして使用されるとともに、表示に必要となる映像データ（画像情報や文字情報）を記憶する素子としても機能する。
【００４０】
表示パネル５０３は、表示回路５０４および充電回路５０５に接続されている。表示パネル５０３は、映像の表示あるいは太陽光などの光を受光する。たとえば、画素５１１が表示回路５０４に接続されている場合には、各画素５１１それぞれに送信された電圧値により発光して映像の表示をおこなう。また、画素５１１が、充電回路５０５に接続されている場合には、光電変換によって変換された電気エネルギーを充電器５０６に送出して充電をおこなう。また、表示パネル５０３には、有機ＥＬなどの自発光素子を用いることができる。
【００４１】
インターフェース５０７は、操作部５０８に接続されている。操作部５０８は、文字、数値、各種指示などの入力のための複数のキーを備えたリモコン、キーボード、マウス、タッチパネルなどが挙げられる。
【００４２】
また、インターフェース５０７は、無線、あるいは通信ケーブルを介してネットワークに接続され、このネットワークとＣＰＵ５０１とのインターフェース５０７として機能する構成としてもよい。ネットワークには、ＬＡＮ、ＷＡＮ、公衆回線網や携帯電話網などがある。
【００４３】
なお、図１に示した発光状態検出部１０２、設定部１０３、蓄電量検出部１０４は、図５に示したメモリ５０２などに記録されたプログラムをＣＰＵ５０１が実行し、表示装置１００における各部５０４〜５０８を制御することによってその機能を実現する。
【００４４】
つぎに、上述した表示パネル５０３の構成について説明する。図６−１は、表示パネルの構成について示す説明図である。図６−１において、表示パネル５０３は、有機ＥＬ層６０１と、基板６０２と、保護層６０３と、により構成されている。また、有機ＥＬ層６０１は、基板６０２と、保護層６０３とに挟まれた構成となっている。
【００４５】
まず、有機ＥＬ層６０１について説明する。有機ＥＬ層６０１は、発光層６１１と、正孔輸送層６１２と、陽極６１３と、電子輸送層６１４と、陰極６１５と、により構成されている。発光層６１１には、陽極６１３から正孔が、陰極６１５から電子が注入される。注入された正孔と電子が再結合することにより、エネルギーを放出し発光する。また、発光層６１１は、受光して光電変換をおこない電気エネルギーを発生させることもできる。
【００４６】
また、発光層６１１には、表示回路５０４と、充電回路５０５とが接続されている。表示回路５０４および充電回路５０５については、上述した内容と説明が重複するため、説明を省略する。正孔輸送層６１２は、陽極６１３から発光層６１１に注入される正孔を輸送する。また、電子輸送層６１４は、陰極６１５から発光層６１１に注入される電子を輸送する。
【００４７】
有機ＥＬ層６０１に電流を流すと、発光層６１１で電子と正孔が衝突し、光を発する。逆に有機ＥＬ層６０１に光があたると光を吸収した発光層６１１で電子と正孔が発生し、電流を取り出すことができる。有機ＥＬ素子は、発光効率を上げるためには素子を薄くしたほうが好ましく、発電効率を上げるためには素子を厚くしたほうが好ましくこれら２つの性能が極大になるように有機ＥＬ層６０１が設計されている。
【００４８】
また有機ＥＬ層６０１の別の構成例として、図６−２のような発光と発電の２種類の機能を有する有機ＥＬ素子を構成してもよい。図６−１では、発光層６１１において、発光および発電をおこなう構成となっているが、図６−２では、発光層６１１と発電層６２１が分離した構成となっている。この構成では、表示回路５０４は、陰極６１５ａと陽極６１３とに接続されている。また、充電回路５０５は、陰極６１５ｂと陽極６１３とに接続されている。
【００４９】
つぎに、図５に示した画素５１１の発光画素および非発光画素について説明する。図７〜図１０は、発光画素および非発光画素について示す説明図である。ここでは、説明簡略化のため、画素５１１が４つの場合を例として説明する。
【００５０】
まず、図７において、４つの画素は全て非発光画素である。この場合、４つの画素７０１、７０２、７０３、７０４は全て充電モードに設定され、各画素７０１、７０２、７０３、７０４は、太陽光などを受光して充電をおこなう。
【００５１】
つぎに、図８について説明する。図８において、４つの画素８０１、８０２、８０３、８０４は全て発光画素である。この場合、４つの画素８０１、８０２、８０３、８０４は全て表示モードに設定され、各画素８０１、８０２、８０３、８０４は、映像を表示する。
【００５２】
つぎに、図９について説明する。図９において、画素９０１は非発光画素である。一方、画素９０２、９０３、９０４は発光画素である。この場合、画素９０１は充電モードに設定され、画素９０２、９０３、９０４は、表示モードに設定される。そして、画素９０１は、太陽光などを受光して充電をおこない、画素９０２、９０３、９０４は、映像の表示をおこなう。そのため、図８に示した場合に比べて表示装置１００の使用時間の長期化を図ることができる。
【００５３】
つぎに、図１０について説明する。図１０において、画素１００１および１００４は、非発光画素である。一方、画素１００２および１００３は発光画素である。この場合、画素１００１および１００４は、充電モードに設定され、画素１００２および１００３が表示モードに設定される。そして、画素１００１および１００４は、太陽光などを受光して充電をおこない、画素１００２および１００３は、映像の表示をおこなう。そのため、図８および図９に示した場合に比べて表示装置１００の使用時間の長期化を図ることができる。
【００５４】
（表示装置の表示処理手順）
つぎに、実施例１にかかる表示装置１００の表示処理手順について説明する。図１１は、実施例１にかかる表示装置の表示処理手順の一例について示すフローチャートである。図１１において、まず、表示装置１００の電源がオンされているかを判断する（ステップＳ１１０１）。そして、電源がオンされるのを待って、電源がオンされた場合（ステップＳ１１０１：Ｙｅｓ）、映像が表示の指示がされたかを判断する（ステップＳ１１０２）。
【００５５】
そして、映像を表示する場合（ステップＳ１１０２：Ｙｅｓ）、画素５１１が映像の表示に必要な画素か否か（電流を流すか否か）を判断する（ステップＳ１１０３）。例えば文字や画像などのオブジェクトが存在する領域の画素か単一色からなる背景領域の画素か否か、または操作者による指示や蓄電量検出部１０４の出力結果により強制的に充電用に設定された領域の画素かなど）を判断する。つまり背景領域は消費電力を削減するために表示させないという考えに基づき、充電用の画素として活用する。画素５１１が表示を担う画素（電流を流し発光させる必要がある画素）である場合（ステップＳ１１０３：Ｙｅｓ）、ステップＳ１１０５に移行する。一方、画素５１１が表示を担わない画素（背景領域と判断された画素、あるいは電流を流さないで充電用に活用する画素）の場合（ステップＳ１１０３：Ｎｏ）、画素５１１の充電回路５０５を駆動する（ステップＳ１１０４）。
【００５６】
つぎに、電源がオフされたかを判断する（ステップＳ１１０５）。電源がオフされた場合（ステップＳ１１０５：Ｙｅｓ）、全ての画素５１１の充電回路５０５を駆動する（ステップＳ１１０６）。これにより、一連の処理を終了する。また、ステップＳ１１０５において、電源がオフされていない場合（ステップＳ１１０５：Ｎｏ）、ステップＳ１１０３に移行して、画素５１１に電流を流すか否かを判断する。
【００５７】
また、上述した実施例１のフローチャートにおいて、ステップＳ１１０１からステップＳ１１０４の間において、表示画面に映像を表示している最中でも、電池の蓄電量があらかじめ設定されている所定の量以下になった場合には、表示画面の一部の画素５１１を充電モードに切り換えて充電をおこなうことができる。
【００５８】
以上説明したように、実施例１によれば、表示画面の画素５１１が発光画素５１１であるか、非発光画素５１１であるかを検出し、それぞれの画素５１１を表示回路あるいは充電回路に接続を切り換えることができる。そのため、表示装置の使用中であっても、表示画面の非発光画素５１１により受光して充電をおこなうことができる。
【実施例２】
【００５９】
つぎに、この発明の実施の形態２にかかる表示装置３００の一実施例について説明する。実施例１では、映像を表示画面に表示してから画素５１１の発光状態を検出したが、実施例２では、画像データを読み込んで表示画面に表示する前に発光画素５１１、非発光画素５１１を特定する例について説明する。なお、実施例２にかかる表示装置３００のハードウェア構成については、上述した実施例１と同様であるため、その説明を省略する。
【００６０】
（表示装置の表示処理手順）
つぎに、実施例２にかかる表示装置３００の表示処理手順について説明する。図１２は、実施例２にかかる表示装置の表示処理手順の一例について示すフローチャートである。図１２において、まず、表示装置３００の電源がオンされたかを判断する（ステップＳ１２０１）。そして、電源がオンされるのを待って、電源がオンされたら（ステップＳ１２０１：Ｙｅｓ）、画像データが読み込まれたかを判断する（ステップＳ１２０２）。
【００６１】
そして、画像データが読み込まれるのを待って、画像データが読み込まれたら（ステップＳ１２０２：Ｙｅｓ）、発光させる画素５１１（画像データが黒以外）と発光させない画素５１１（画像データ黒）を特定する（ステップＳ１２０３）。つぎに、ステップＳ１２０３において、特定された画素５１１が発光させる画素５１１かを判断する（ステップＳ１２０４）。発光させない画素５１１の場合（ステップＳ１２０４：Ｎｏ）、充電回路５０５を駆動し（ステップＳ１２０５）、ステップＳ１２０８に移行する。
【００６２】
一方、発光させる画素５１１の場合（ステップＳ１２０４：Ｙｅｓ）、表示回路５０４を駆動する（ステップＳ１２０６）。そして、発光させる画素５１１にデータを送出する（ステップＳ１２０７）。つぎに、電源がオフされたかを判断する（ステップＳ１２０８）。電源がオフされていない場合（ステップＳ１２０８：Ｎｏ）、ステップＳ１２０２に移行し、新たに画像データが読み込まれるのを待つ。一方、電源がオフされた場合（ステップＳ１２０８：Ｙｅｓ）、全ての画素５１１の充電回路５０５を駆動する（ステップＳ１２０９）。これにより、一連の処理を終了する。
【００６３】
以上説明したように、実施例２によれば、画像データを読み込んで発光させる画素５１１と発光させない画素５１１を特定し、それぞれの画素５１１を表示回路あるいは充電回路に接続を切り換えることができる。そのため、表示装置の使用中であっても、表示画面の非発光画素５１１により受光して充電をおこなうことができる。主な表示装置では文字を黒色で表示することが多いので、文字の表示を担っている画素を充電用として活用でき、電池の蓄電量の減少を軽減化することができる。
【００６４】
以上説明したように、表示装置、表示方法、表示プログラム、および記録媒体によれば、表示装置の使用中であっても、表示画面の非発光画素により受光して充電をおこなうことができる。そのため、表示装置内に別部品を設ける必要がなくなり、コストの削減を図ることができる。また、表示機能の他に充電回路を備える必要がなく、表示装置を小型化でき、携帯性を向上させることができる。
【００６５】
なお、本実施の形態で説明した表示方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００６６】
【図１】この発明の実施の形態１にかかる表示装置の機能的構成の一例について示す説明図である。
【図２】この発明の実施の形態１にかかる表示装置の表示処理手順の一例について示すフローチャートである。
【図３】この発明の実施の形態２にかかる表示装置の機能的構成の一例について示す説明図である。
【図４】この発明の実施の形態２にかかる表示装置の表示処理手順の一例について示すフローチャートである。
【図５】表示装置１００のハードウェア構成の一例を示す説明図である。
【図６−１】表示パネルの構成について示す説明図である。
【図６−２】図６−１に示した有機ＥＬ層の別の構成例を示す説明図である。
【図７】発光画素および非発光画素について示す説明図（その１）である。
【図８】発光画素および非発光画素について示す説明図（その２）である。
【図９】発光画素および非発光画素について示す説明図（その３）である。
【図１０】発光画素および非発光画素について示す説明図（その４）である。
【図１１】実施例１にかかる表示装置の表示処理手順の一例について示すフローチャートである。
【図１２】実施例２にかかる表示装置の表示処理手順の一例について示すフローチャートである。
【符号の説明】
【００６７】
１００  表示装置
１０１  表示部
１０２  発光状態検出部
１０３  設定部
１０４  蓄電量検出部
３００  表示装置
３０１  読込部
３０２  特定部
３０３  設定部
【図１】
2007108612.tif 000003
【図２】
2007108612.tif 000004
【図３】
2007108612.tif 000005
【図４】
2007108612.tif 000006
【図５】
2007108612.tif 000007
【図６−１】
2007108612.tif 000008
【図６−２】
2007108612.tif 000009
【図７】
2007108612.tif 000010
【図８】
2007108612.tif 000011
【図９】
2007108612.tif 000012
【図１０】
2007108612.tif 000013
【図１１】
2007108612.tif 000014
【図１２】
2007108612.tif 000015
【手続補正書】
【提出日】平成18年11月7日(2006.11.7)
【手続補正１】
【補正対象書類名】特許請求の範囲
【補正対象項目名】全文
【補正方法】変更
【補正の内容】
【特許請求の範囲】
【請求項１】
表示画面を有する表示手段と、
前記表示画面の画素の発光状態を検出する発光状態検出手段と、
前記発光状態検出手段によって検出された検出結果に基づいて、前記画素を、表示モードまたは充電モードのうちいずれか一方のモードに設定する設定手段と、
前記表示装置の蓄電量を検出する蓄電量検出手段と、を備え、
前記設定手段は、
前記蓄電量検出手段によって検出された蓄電量に基づいて、前記画素を前記表示モードまたは前記充電モードのうちいずれか一方のモードに設定することを特徴とする表示装置。
【請求項２】
前記発光状態検出手段は、
前記画素に表示させる画像データから前記画素が発光状態か非発光状態かを検出することを特徴とする請求項１に記載の表示装置。
【請求項３】
前記設定手段は、
前記発光状態検出手段によって前記画素が非発光状態と検出された場合、前記画素を前記充電モードに設定することを特徴とする請求項１または２に記載の表示装置。
【請求項４】
前記発光状態検出手段は、
前記画像データが黒を示すとき、前記画素を非発光状態と検出することを特徴とする請
求項２に記載の表示装置。
【請求項５】
表示画面の画素の発光状態を検出する発光状態検出工程と、
前記発光状態検出工程によって検出された検出結果に基づいて、前記画素を、表示モードまたは充電モードのうちいずれか一方のモードに設定する設定工程と、
蓄電量を検出する蓄電量検出工程と、を含み、
前記設定工程は、
前記蓄電量検出工程によって検出された蓄電量に基づいて、前記画素を前記表示モードまたは前記充電モードのうちいずれか一方のモードに設定することを特徴とする表示方法。
【請求項６】
請求項５に記載の表示方法をコンピュータに実行させることを特徴とする表示プログラム。
【請求項７】
請求項６に記載の表示プログラムを記録したことを特徴とするコンピュータに読み取り可能な記録媒体。
【手続補正２】
【補正対象書類名】明細書
【補正対象項目名】０００８
【補正方法】変更
【補正の内容】
【０００８】
上述した課題を解決し、目的を達成するため、請求項１の発明にかかる表示装置は、表示画面を有する表示手段と、前記表示画面の画素の発光状態を検出する発光状態検出手段と、前記発光状態検出手段によって検出された検出結果に基づいて、前記画素を、表示モードまたは充電モードのうちいずれか一方のモードに設定する設定手段と、前記表示装置の蓄電量を検出する蓄電量検出手段と、を備え、前記設定手段は、前記蓄電量検出手段によって検出された蓄電量に基づいて、前記画素を前記表示モードまたは前記充電モードのうちいずれか一方のモードに設定することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、請求項５の発明にかかる表示方法は、表示画面の画素の発光状態を検出する発光状態検出工程と、前記発光状態検出工程によって検出された検出結果に基づいて、前記画素を、表示モードまたは充電モードのうちいずれか一方のモードに設定する設定工程と、蓄電量を検出する蓄電量検出工程と、を含み、前記設定工程は、前記蓄電量検出工程によって検出された蓄電量に基づいて、前記画素を前記表示モードまたは前記充電モードのうちいずれか一方のモードに設定することを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、請求項６の発明にかかる表示プログラムは、請求項５に記載の表示方法をコンピュータに実行させることを特徴とする。
【手続補正７】
【補正対象書類名】明細書
【補正対象項目名】００１３
【補正方法】変更
【補正の内容】
【００１３】
また、請求項７の発明にかかる記録媒体は、請求項６に記載の表示プログラムを記録したコンピュータに読み取り可能なことを特徴とする。
【手続補正８】
【補正対象書類名】明細書
【補正対象項目名】００４４
【補正方法】変更
【補正の内容】
【００４４】
つぎに、上述した表示パネル５０３の構成について説明する。図６は、表示パネルの構成について示す説明図である。図６において、表示パネル５０３は、基板６０２上に、陰極６１５ｂ、電子輸送層６１４ｂ、発電層６２１、正孔輸送層６１２ｂ、陽極６１３、正孔輸送層６１２ａ、発光層６１１、電子輸送層６１４ａ、陰極６１５ａ、及び保護層６０３が積層されて構成されている。
【手続補正９】
【補正対象書類名】明細書
【補正対象項目名】００４５
【補正方法】変更
【補正の内容】
【００４５】
また、表示回路５０４は、陰極６１５ａと陽極６１３とに接続されている。また、充電回路５０５は、陰極６１５ｂと陽極６１３とに接続されている。表示回路５０４および充電回路５０５については、上述した内容と説明が重複するため、説明を省略する。
【手続補正１０】
【補正対象書類名】明細書
【補正対象項目名】００４６
【補正方法】変更
【補正の内容】
【００４６】
正孔輸送層６１２ａは、陽極６１３から発光層６１１に注入される正孔を輸送し、電子輸送層６１４ａは、陰極６１５ａから発光層６１１に注入される電子を輸送する。また、正孔輸送層６１２ｂは、発電層６２１で発生する正孔を陽極６１３へ輸送し、電子輸送層６１４ｂは、発電層６２１で発生する電子を陰極６１５ｂへ輸送する。
【手続補正１１】
【補正対象書類名】明細書
【補正対象項目名】００４７
【補正方法】削除
【補正の内容】
【手続補正１２】
【補正対象書類名】明細書
【補正対象項目名】００４８
【補正方法】削除
【補正の内容】
【手続補正１３】
【補正対象書類名】明細書
【補正対象項目名】００６６
【補正方法】変更
【補正の内容】
【００６６】
【図１】この発明の実施の形態１にかかる表示装置の機能的構成の一例について示す説明図である。
【図２】この発明の実施の形態１にかかる表示装置の表示処理手順の一例について示すフローチャートである。
【図３】この発明の実施の形態２にかかる表示装置の機能的構成の一例について示す説明図である。
【図４】この発明の実施の形態２にかかる表示装置の表示処理手順の一例について示すフローチャートである。
【図５】表示装置１００のハードウェア構成の一例を示す説明図である。
【図６】表示パネルの構成について示す説明図である。
【図７】発光画素および非発光画素について示す説明図（その１）である。
【図８】発光画素および非発光画素について示す説明図（その２）である。
【図９】発光画素および非発光画素について示す説明図（その３）である。
【図１０】発光画素および非発光画素について示す説明図（その４）である。
【図１１】実施例１にかかる表示装置の表示処理手順の一例について示すフローチャートである。
【図１２】実施例２にかかる表示装置の表示処理手順の一例について示すフローチャートである。
【手続補正１４】
【補正対象書類名】図面
【補正対象項目名】全図
【補正方法】変更
【補正の内容】
【図１】
2007108612.tif 000016
【図２】
2007108612.tif 000017
【図３】
2007108612.tif 000018
【図４】
2007108612.tif 000019
【図５】
2007108612.tif 000020
【図６】
2007108612.tif 000021
【図７】
2007108612.tif 000022
【図８】
2007108612.tif 000023
【図９】
2007108612.tif 000024
【図１０】
2007108612.tif 000025
【図１１】
2007108612.tif 000026
【図１２】
2007108612.tif 000027